(57)【特許請求の範囲】
【請求項１】
上方開口型の吸引液体貯留容器と、該吸引液体貯留容器の開口部に嵌合されてこれを閉鎖する蓋体と、該蓋体に、液体吸引パイプを連結する連結具と、減圧器に通じる減圧パイプを連結させる連結具とをそれぞれ備えてなる吸引器にあって、前記吸引液体貯留容器内に耐圧着脱自在に装着され、前記液体吸引パイプから吸引した吸引液体を収容する吸引器用吸引液体収容袋において、
可撓性合成樹脂フィルムにより筒状に成形された胴部の下端側が閉鎖され、上端側が開放された袋本体を有し、該袋本体の開口部に、前記吸引液体貯留容器と蓋体との間に挟みこまれる保持片部を一体に有し、該保持片部より下側の前記袋本体内周面に密封構造式のファスナーを備え、
前記袋本体のファスナーと保持片部との間の部分に、該袋本体内外を連通させる通気部を備え、
該通気部は袋本体に切れ目を形成することによって表裏貫通孔部とこれを開閉する舌片状部を一体に備えたことを特徴としてなる吸引器用吸引液体収容袋。
【請求項２】
前記袋本体の外周面は、多数の微細凹凸を設けた粗面となっている請求項１に記載の有する吸引器用吸引液体収容袋。
【発明の詳細な説明】
【技術分野】
【０００１】
本発明は、医療や現場において使用される吸引器に装着し、該吸引器によって吸引された体液などの液体を処理するために収容する吸引器用吸引液体収容袋に関する。
【背景技術】
【０００２】
一般に、痰、鼻汁、血液などの体液を吸引する吸引器が医療現場において広く使用されている。この吸引器は、プラスチックやガラス製の吸引液体貯留容器の頂部の蓋に、吸引ノズルに通じる吸引パイプと、減圧機に通じる減圧パイプとを連通させておき、減圧機によって吸引液体貯留容器内を減圧することによって吸引ノズルより体液を吸引させ、吸引された体液が吸引液体貯留容器内に吐出して底部に溜まり、空気は減圧パイプから排出されるようにしている（例えば特許文献１）。
【０００３】
また、この種の従来の吸引器において、吸引された体液等の液体を吸引液体貯留容器内に装着した廃棄用袋内に入れ、その袋内に吸水性材料を収納しておき、これに吸収させるようにした技術が知られている。（例えば特許文献２）。
【先行技術文献】
【特許文献】
【０００４】
【特許文献１】特開２００４−４９７０６号公報
【特許文献２】特開平８−１１２３４４号公報
【発明の概要】
【発明が解決しようとする課題】
【０００５】
しかし、上述した特許文献１に示されているように、吸引された体液等を直接吸引液体貯留容器に貯留させる方式では、吸引された体液等の液体を廃棄する際に、吸引液体貯留容器自体を洗浄する必要があり、体液にウィルスや病原菌感染の恐れがある場合、処理時の不注意によって医療事故が発生し易いという問題があるとともに、洗浄に手数を要するという問題がある。
【０００６】
一方、特許文献２に示されているように、吸引液体貯留容器内に廃棄用のための袋を収容し、その中に吸引液体を収容し、袋ごと廃棄する方式のものは、前述したように吸引液体貯留容器を使用の度に洗浄作業を行う手間が省けるが、袋の着脱作業に手数を要し、また、袋内には吸水材料が収容されるものであるため、その分コスト高となり、廃棄の際に開口部が開いたまま状態である為、吸水材料を収容せずに使用すると、廃棄時に医療事故が発生し易いという問題があった。また、廃棄用の袋内を減圧させて液体を吸引させるものであるため、吸引液体貯留容器と袋との間に空気が多く残った状態で使用すると、その空気が袋内が減圧された分だけ膨張し、袋内の貯留許容量が少なくなるという問題があった。
【０００７】
本発明は上述のような問題に鑑み、低コストで簡単に吸引液体を廃棄することができ、医療事故が未然に防止され、更には、吸引液体を収容する廃棄用の袋の容積を最大限に使用することができるようにした吸引器用吸引液体収容袋の提供を目的としてなされたものである。
【課題を解決するための手段】
【０００８】
上述の如き従来の問題を解決するための請求項１に記載の発明の特徴は、上方開口型の吸引液体貯留容器と、該吸引液体貯留容器の開口部に嵌合されてこれを閉鎖する蓋体と、該蓋体に、液体吸引パイプを連結する連結具と、減圧器に通じる減圧パイプを連結させる連結具とをそれぞれ備えてなる吸引器にあって、前記吸引液体貯留容器内に耐圧着脱自在に装着され、前記液体吸引パイプから吸引した吸引液体を収容する吸引器用吸引液体収容袋において、 可撓性合成樹脂フィルムにより筒状に成形された胴部の下端側が閉鎖され、上端側が開放された袋本体を有し、該袋本体の開口部に、前記吸引液体貯留容器と蓋体との間に挟みこまれる保持片部を一体に有し、該保持片部より下側の前記袋本体内周面に密封構造式のファスナーを備え、前記袋本体のファスナーと保持片部との間の部分に、該袋本体内外を連通させる通気部を備え、該通気部は袋本体に切れ目を形成することによって表裏貫通孔部とこれを開閉する舌片状部を一体に備えたことにある。
【０００９】
請求項２に記載の発明の特徴は、請求項１の構成に加え、前記袋本体の外周面は、多数の微細凹凸を設けた粗面となっていることにある。
【発明の効果】
【００１０】
本発明に係る吸引器用吸引液体収容袋は、請求項１に記載のように可撓性合成樹脂フィルムにより筒状に成形された胴部の下端側が閉鎖され、上端側が開放された袋本体を有し、該袋本体の開口部に、前記吸引液体貯留容器と蓋体との間に挟みこまれる保持片部を一体に有し、該保持片部より下側の前記袋本体内周面に密封構造式のファスナーを備えたことにより、吸引液体貯留容器内への装着は、保持片部を吸引液体貯留容器開口部に蓋体を嵌め合わせる際に保持片部を挟み込むのみで容易にでき、吸引液体貯留容器内から取り出す際には、ファスナーを閉じることによって袋本体内が密閉され、吸引液体貯留容器からの取り出し時に内部の液体が漏れ出ることがなくなり、医療事故を未然荷防止することができる。
【００１１】
また、本発明は、袋本体のファスナーと保持片部との間の部分に袋本体内外を連通させる通気部を備えることにより、袋本体をその保持片を吸引液体貯留容器と蓋体に挟み込んで装着した状態で通気部が該吸引液体貯留容器内にあることとなり、吸引液体貯留容器内を減圧した際に、袋本体と吸引液体貯留容器との間に残されている空気も減圧されることなり、これが吸引液体貯留容器内の減圧によって膨張することが無いため、容器本体内の容積が減少せず、効率よく使用できる。
【００１２】
更に、前記通気部は、袋本体に切れ目を形成することによって表裏貫通孔部とこれを開閉する舌片状部を一体に備えたことにより、常時は舌片上部によって通気部が略閉じられた状態となり、仮に吸引された液体が飛散することがあったとしても、通気部から大量に漏れ出ることが防止される。
【００１３】
本発明は、請求項２に記載のように前記袋本体の外周面に、多数の微細凹凸を設けた粗面加工を施しておくことにより、吸引液体貯留容器と袋本体との間には空気が通過できる微細隙間が存在することとなり、減圧時に、吸引液体貯留容器と袋本体との間に残された空気が、この微細隙間を通じて減圧され、該空気が部分的に滞留して膨張することがなくなる。
【図面の簡単な説明】
【００１４】
【図１】本発明に係る吸引器用吸引液体収容袋の一例の全体を示す平面図である。
【図２】同上の縦断面図である。
【図３】図１に示す実施例における密封構造式のファスナーを示す断面図である。
【図４】同上のチャック部の易開放側の開き状態を示す拡大断面図である。
【図５】同上のチャック部の難開放側の開き状態を示す拡大断面図である。
【図６】本発明に係る吸引器用吸引液体収容袋の使用状態を示す断面図である。
【発明を実施するための形態】
【００１５】
次に本発明に係るおける吸引器用吸引液体収容袋の実施の形態を、図面に示した実施例に基づいて説明する。
【００１６】
図１、図２は、本発明に係る吸引器用吸引液体収容袋の実施例を示しており、図において符号１は袋本体である。この袋本体１は、ポリエチレンなどの柔軟性のある合成樹脂フィルムによって形成されており、円筒状の胴部２の下端が底シート部３によって閉鎖され、上端側が開閉可能な開口部となっている。開口部には、一対の保持片部４，４が延長配置に一体成形されている。
【００１７】
開口部の稍下側には、通気部形成用スペースを隔てた位置の内周面に、密封構造式のレールファスナー１０が一体に形成されている。
【００１８】
通気部形成用スペースには、袋本体１にＶ字状の切れ目５を形成することによって表裏貫通孔部とこれを開閉する舌片状部６を一体に形成した複数の通気部７が形成されている。尚、この切れ目５はＶ字状の他、Ｕ字状、コ字状、半円形状等の各種形状とし得る。
【００１９】
底シート部３は、中央が上側に山折された待ち部を構成している。また、袋本体１の両縁にはシール部８，８が形成されることによって底部に待ち部を構成する底シートで閉鎖された筒状に形成されている。
【００２０】
また、袋本体１の外周面は、底シート部３の外面を含め、図には示してないが多数の微細凹凸を設けた粗面となっている。この粗面は、例えばフィルム成形時に片面にシボ加工を施すことによって形成することができる。
【００２１】
レールファスナー１０は開口部外側からの開き力に対する開き抵抗より該開口部内側からの開き抵抗が大きい構造のものが使用されている。
【００２２】
更に具体的には、図１、図２に示すように胴部２の開口部を構成している互いに重ね合せ配置のフィルムの各半周部分を基台部１１，１２（図３に示す）とし、その両基台部間を開閉するチャック部１３が備えられている。
【００２３】
チャック部１３は、図３に示すように、一方の基台部１１の表面に一体に突設された雌封止レール部１４内に、他方の基台部１２に一体に突設された雄封止レール部１５が挿入されることによって封止されるようになっている。
【００２４】
雌封止レール部１４は、基台部１１に突設され、先端部内側面に断面が鈎状の鈎爪部１６を有する一対の雌鈎レール部１７ａ，１７ｂを備えている。雄封止レール部１５は、他方の基台部１２の表面に一体に突設され、先端部外側面に断面が鈎状の鈎爪部１８，１８を有し雌鈎レール部１７ａ，１７ｂ間に挿入される一対の雄鈎レール部１９，１９を備えている。
【００２５】
また、一方の基台部１１の両雌鈎レール部１７ａ，１７ｂの中間位置に、他方の基台部１２の両雄鈎レール部１９，１９間に圧入される密封用レール部２０が一体に突設され、雄封止レール部１５を雌封止レール部１４内に挿入することによって両者間の両鈎爪部１６と１８とが互いに系合されるとともに前記密封用レール部２０が前記雄鈎レール部１９，１９の背面１９ａ，１９ａ間に圧入されるようになっている。
【００２６】
密封用レール部２０はその先端部分に両面側を膨出させた形状の頭部２０ａを備え、該頭部２０ａの両側面が両雄鈎レール部１９，１９の背面１９ａ，１９ａを押圧することによって互いに線接触状態となり、気液密性が維持されるようになっている。
【００２７】
また、雌封止レール部１４の一方の雌鈎レール部１７ａの根元部の断面形状は、基台部１１側に至るに従って厚くしたテーパ状に成型されており、これによって該雌鈎レール部１７ａが突設されている基台部１１に対する曲げ力がこの雌鈎レール部１７ａに伝わり易く、従って図５に示すように、基台部１１を外側に曲げることによって、雌鈎レール部１７ａが容易に雄鈎レール部１９から離れる方向に曲げられて、互いに係合状態にある鈎爪部１６と１８とを容易に外すことが可能な易開放側係合部を構成している。
【００２８】
これに対し、他方の雌鈎レール部１７ｂの根元部は、その外側面が基台部１１に至るに従って内側面と同様に一方の雌鈎レール部１７ａ側に湾曲させた形状となっており、該根元部は、その厚さａ（図３に示す）が基台部１１の厚さｂより厚く成型され、断面形状が円弧状に成型された円弧状部２１を有している。このため、基台部１１に開き方向の曲げ力が作用した場合、図４に示すように、基台部１１が雌鈎レール部１７ｂの根元部外側位置で曲がり、前記曲げ力が雌鈎レール部１７ｂに容易には伝わらず、互いに係合状態にある鈎爪部１６，１８の係合が容易には外れない難開放側係合部を構成している。
【００２９】
尚、この実施例では、合成樹脂フィルムの成形時にその長さ方向に向けてレールファスナー１０を構成する各レール部を一体に成形し、これを折りたたんでシール部８，８を融着形成するとともにその中央を切断することによってレールファスナー付きの袋本体１を形成しているが、レールファスナーを個別に成形し、これをフィルムに融着させたものであっても良い。
【００３０】
更に、前述した実施例では、開口部内側からの開き抵抗が外側からのそれよりも大きい構造のレールファスナーを使用しているが、通常の密閉式レールファスナーを使用しても良い。
【００３１】
次に上述した吸引器用吸引液体収容袋の使用例について説明する。
【００３２】
図５は、本発明に係る吸引器用吸引液体収容袋Ａを装着した吸引器を示しており、図において、３０は吸引器を構成する上方開口型の吸引液体貯留容器であり、３１は吸引液体貯留容器３０の開口部に嵌合されてこれを閉鎖する蓋体である。蓋体３１には液体吸引パイプを連結する筒状の連結具３２と、減圧器に通じる減圧パイプを連結させる筒状の連結具３３とが一体に形成されており、それぞれ蓋体３１を貫通した吸い込み孔３２ａ及び吸出し孔３３ａ開口されている。
【００３３】
連結具３２には先端に液体吸引ノズル３４を連結した吸引パイプ３５が連結され、連結具３３には減圧タンク３６に通じる減圧パイプ３７が連結されている。減圧タンク３６内は減圧ポンプ３８によって減圧されるようになっている。
【００３４】
この吸引液体貯留容器３０内に袋Ａを装着する際には、図５に示すように、袋本体開口縁部上の保持片部４，４を吸引液体貯留容器３０開口縁部に巻きかけるようにして外側に出し、この状態で蓋体３１を嵌め合わせることにより、保持片部４，４を挟み込んで保持させる。
【００３５】
この時、袋本体１の胴部及び底部を吸引液体貯留容器３０の内面に沿わせて拡げた状態とするとともに通気部７が吸引液体貯留容器３０内にあるようにする。
【００３６】
このように袋Ａを装着して施蓋した状態で、吸引液体貯留容器３０内を減圧させ、吸引ノズル３４から痰等の液体を吸引させる。吸引された液体は吸引液体貯留容器３０内で、自重によって袋Ａの底部に溜まり、空気は減圧パイプ３７から排出される。
【００３７】
この吸引液体貯留容器３０内を減圧した際に、通気部７を通して袋Ａと吸引液体貯留容器３０の内面間にある空気も減圧されるが、袋Ａの外周面が粗面となっているため、粗面によって形成される隙間を通じて全域が均等に減圧されこととなり、袋Ａは縮むことなく装着時の拡開状態が維持される。
【００３８】
このようにして袋Ａ内に溜められた液体を廃棄する際には、蓋体３１を外し、両保持片部４，４を重ねて持ち、レールファスナー１０が吸引液体貯留容器３０の開口部より稍上に至るまで持ち上げ、レールファスナー１０を閉じて袋本体１内を密閉する。この状態で袋Ａを取り出して廃棄する。これにより、袋内に収容された液体を外部に漏らすことなく廃棄処分することができる。
【００３９】
また、ファスナーは袋内部の圧力によっては開き難いものが使用されているため、搬送途中において落下事故があったとしても容易に開くことがない。
【符号の説明】
【００４０】
Ａ 吸引器用吸引液体収容袋
１ 袋本体
２ 胴部
３ 底シート部
４ 保持片部
５ 切れ目
６ 舌片状部
７ 通気部
８ シール部
１０ レールファスナー
１１ 基台部
１１ａ 縁部背面
１２ 基台部
１２ａ 縁部背面
１２ｂ 縁部背面
１３ チャック部
１４ 雌封止レール部
１５ 雄封止レール部
１６ 鈎爪部
１７ａ 雌鈎レール部
１７ｂ 雌鈎レール部
１８ 鈎爪部
１９ 雄鈎レール部
１９ａ 背面
２０ 密封用レール部
２０ａ 頭部
２１ 円弧状部
３０ 吸引液体貯留容器
３１ 蓋体
３２ 連結具
３２ａ 吸い込み孔
３３ 連結具
３３ａ 吸出し孔
３４ 液体吸引ノズル
３５ 吸引パイプ
３６ 減圧タンク
３７ 減圧パイプ
３８ 減圧ポンプ
【図１】
0005489036.tif 000002
【図２】
0005489036.tif 000003
【図３】
0005489036.tif 000004
【図４】
0005489036.tif 000005
【図５】
0005489036.tif 000006
【図６】
0005489036.tif 000007